(57)【要約】【課題】  広告印刷物の紙面上でセール企画等毎に売上情報を、的確、かつ効率良く把握させることが可能な売上掲載紙面作成装置及び方法等、並びに売上掲載紙面表示装置及び方法等を提供する。【解決手段】  本発明に係る売上掲載紙面作成装置は、複数の商品群についての商品情報が掲載された広告印刷物の紙面画像データと、各前記商品群についての売上情報と、前記広告印刷物の紙面画像上における前記各商品群についての商品情報の掲載位置を示す位置データと、を記憶する記憶手段と、前記位置データに基づいて、前記各商品群についての売上情報を、前記広告印刷物の紙面画像上における夫々の前記商品群についての商品情報の掲載位置に配置して売上掲載紙面画像データを作成する売上掲載紙面作成手段と、を備える。【選択図】  図２０
2005092642.tif 000002
【特許請求の範囲】
【請求項１】
複数の商品群についての商品情報が掲載された広告印刷物の紙面画像データと、各前記商品群についての売上情報と、前記広告印刷物の紙面画像上における前記各商品群についての商品情報の掲載位置を示す位置データと、を記憶する記憶手段と、
前記位置データに基づいて、前記各商品群についての売上情報を、前記広告印刷物の紙面画像上における夫々の前記商品群についての商品情報の掲載位置に配置して売上掲載紙面画像データを作成する売上掲載紙面作成手段と、を備えることを特徴とする売上掲載紙面作成装置。
【請求項２】
請求項１に記載の売上掲載紙面作成装置において、
前記作成された売上掲載紙面画像データに基づいて、前記各商品群についての売上情報が、夫々の前記商品群についての商品情報の掲載位置に配置された広告印刷物の紙面画像を表示させる画像表示手段を更に備えることを特徴とする売上掲載紙面作成装置。
【請求項３】
請求項２に記載の売上掲載紙面作成装置において、
各前記売上情報は、前記各商品群についての商品情報上の全部又は一部に重畳されて表示されることを特徴とする売上掲載紙面作成装置。
【請求項４】
請求項２又は３に記載の売上掲載紙面作成装置において、
同一の前記商品群に含まれる各商品についての商品情報は、前記広告印刷物の紙面画像上の所定位置にまとまって表示されることを特徴とする売上掲載紙面作成装置。
【請求項５】
請求項２乃至４の何れか一項に記載の売上掲載紙面作成装置において、
前記売上情報には、前記商品群についての売上目標に関する情報と、その売上目標に対する売上結果に関する情報が含まれており、
前記売上目標に関する情報と前記売上結果に関する情報とが、前記各商品群についての商品情報の掲載位置に表示されることを特徴とする売上掲載紙面作成装置。
【請求項６】
請求項１乃至５の何れか一項に記載の売上掲載紙面作成装置において、
前記商品群に含まれる商品の売上を、各商品群毎に集計して前記売上情報を求める売上集計手段を更に備えることを特徴とする売上掲載紙面作成装置。
【請求項７】
通信ネットワークを介して端末装置が接続可能な請求項１乃至６の何れか一項に記載の売上掲載紙面作成装置において、
前記画像表示手段は、前記通信ネットワークを介して、前記端末装置の表示画面上に、前記各商品群についての売上情報が、夫々の前記商品群についての商品情報の掲載位置に配置された広告印刷物の紙面画像を表示させることを特徴とする売上掲載紙面作成装置。
【請求項８】
通信ネットワークを介して端末装置が接続可能な請求項１乃至７の何れか一項に記載の売上掲載紙面作成装置において、
前記通信ネットワークを介して、前記端末装置から、前記各商品群に含まれる商品についての商品情報の登録を行う担当部署毎に固有の識別情報を取得する識別情報取得手段と、
前記通信ネットワークを介して、前記端末装置からの指示に従い、前記各商品群に含まれる商品についての商品情報の登録を行う商品情報登録手段と、を更に備え、
前記商品情報登録手段は、前記取得された識別情報に対応する商品群に含まれる商品についての商品情報の登録を行うことを特徴とする売上掲載紙面作成装置。
【請求項９】
コンピュータを、請求項１乃至８の何れか一項に記載の売上掲載紙面作成装置として機能させることを特徴とする売上掲載紙面作成処理プログラム。
【請求項１０】
請求項９に記載の売上掲載紙面作成処理プログラムがコンピュータ読み取り可能に記録されたことを特徴とする記録媒体。
【請求項１１】
複数の商品群についての商品情報が掲載された広告印刷物の紙面画像データと、各前記商品群についての売上情報と、前記広告印刷物の紙面画像上における前記各商品群についての商品情報の掲載位置を示す位置データと、を記憶する記憶手段と、
前記広告印刷物の紙面画像データに基づいて、前記広告印刷物の紙面画像を表示させる画像表示手段と、
前記位置データに基づいて、前記各商品群についての売上情報を、前記表示された広告印刷物の紙面画像上における夫々の前記商品群についての商品情報の掲載位置に表示させる売上情報表示手段と、を備えることを特徴とする売上掲載紙面表示装置。
【請求項１２】
請求項１１に記載の売上掲載紙面表示装置において、
前記売上情報表示手段は、各前記売上情報を、前記各商品群についての商品情報上の全部又は一部に重畳して表示させることを特徴とする売上掲載紙面表示装置。
【請求項１３】
請求項１１又は１２に記載の売上掲載紙面表示装置において、
同一の前記商品群に含まれる各商品についての商品情報は、前記広告印刷物の紙面画像上の所定位置にまとまって表示されることを特徴とする売上掲載紙面表示装置。
【請求項１４】
請求項１１乃至１３の何れか一項に記載の売上掲載紙面表示装置において、
前記売上情報には、前記商品群についての売上目標に関する情報と、その売上目標に対する売上結果に関する情報が含まれており、
前記売上目標に関する情報と前記売上結果に関する情報とが、前記各商品群についての商品情報の掲載位置に表示されることを特徴とする売上掲載紙面表示装置。
【請求項１５】
請求項１１乃至１４の何れか一項に記載の売上掲載紙面表示装置において、
前記商品群に含まれる商品の売上を、各商品群毎に集計して前記売上情報を求める売上集計手段を更に備えることを特徴とする売上掲載紙面表示装置。
【請求項１６】
通信ネットワークを介して端末装置が接続可能な請求項１１乃至１５の何れか一項に記載の売上掲載紙面表示装置において、
前記画像表示手段は、前記通信ネットワークを介して、前記端末装置の表示画面上に前記広告印刷物の紙面画像を表示させ、
前記売上情報表示手段は、前記各商品群についての売上情報を、前記端末装置の表示画面上に表示された広告印刷物の紙面画像上における夫々の前記商品群についての商品情報の掲載位置に表示させることを特徴とする売上掲載紙面表示装置。
【請求項１７】
通信ネットワークを介して端末装置が接続可能な請求項１１乃至１６の何れか一項に記載の売上掲載紙面表示装置において、
前記通信ネットワークを介して、前記端末装置から、前記各商品群に含まれる商品についての商品情報の登録を行う担当部署毎に固有の識別情報を取得する識別情報取得手段と、
前記通信ネットワークを介して、前記端末装置からの指示に従い、前記各商品群に含まれる商品についての商品情報の登録を行う商品情報登録手段と、
前記商品情報登録手段は、前記取得された識別情報に対応する商品群に含まれる商品についての商品情報の登録を行うことを特徴とする売上掲載紙面表示装置。
【請求項１８】
コンピュータを、請求項１１乃至１７の何れか一項に記載の売上掲載紙面表示装置として機能させることを特徴とする売上掲載紙面表示処理プログラム。
【請求項１９】
請求項１８に記載の売上掲載紙面表示処理プログラムがコンピュータ読み取り可能に記録されたことを特徴とする記録媒体。
【請求項２０】
複数の商品群についての商品情報が掲載された広告印刷物の紙面画像データと、各前記商品群についての売上情報と、前記広告印刷物の紙面画像上における前記各商品群についての商品情報の掲載位置を示す位置データと、を取得する工程と、
前記位置データに基づいて、前記各商品群についての売上情報を、前記広告印刷物の紙面画像上における夫々の前記商品群についての商品情報の掲載位置に配置して売上掲載紙面画像データを作成する工程と、を備えることを特徴とする売上掲載紙面作成方法。
【請求項２１】
複数の商品群についての商品情報が掲載された広告印刷物の紙面画像データと、各前記商品群についての売上情報と、前記広告印刷物の紙面画像上における前記各商品群についての商品情報の掲載位置を示す位置データと、を取得する工程と、
前記広告印刷物の紙面画像データに基づいて、前記広告印刷物の紙面画像を表示させる工程と、
前記位置データに基づいて、前記各商品群についての売上情報を、前記表示された広告印刷物の紙面画像上における夫々の前記商品群についての商品情報の掲載位置に表示させる工程と、を備えることを特徴とする売上掲載紙面表示方法。
【発明の詳細な説明】
【技術分野】
【０００１】
本発明は、広告印刷物の紙面上に商品の売上情報を表示するシステム及び方法等の技術分野に関する。
【背景技術】
【０００２】
商品の流通小売業者にとって、商品情報を掲載した販促チラシ等の広告印刷物の発行（配付）は、販売促進を行う上で非常に重要である。例えば、広告印刷物による特売情報の広告は、集客や売上を左右する販促手段となっている。このような広告印刷物を発行した流通小売業者は、そこに掲載された各商品の販売数、売上高等の情報を集計し、各商品の売上分析を行って販売戦略を立てている。
【０００３】
このような各商品の売上分析を正確かつ迅速に行う等ために、特許文献１には、広告印刷物に掲載された各商品の表示位置上に、各商品の販売数及び売上高を配置した売上げ情報レイアウトデータを作成する売上げ情報処理システムが開示されている。
【特許文献１】特開２０００−５７２０９号公報
【発明の開示】
【発明が解決しようとする課題】
【０００４】
ところで、広告印刷物の紙面は、幾つかのセール企画（例えば、商品を「先着１００名限定セール」、「食品」、「生活雑貨」、「美容」等のコーナーに分けて掲載し、消費者に対し商品を見やすくしたり、興味を引かせるようにして販促効果を高めるためのもの）から成り立ち、当該紙面には、各セール企画に対して割り当てられた複数の商品掲載領域が含まれている場合があり、各セール企画において掲載される複数の商品の集まり（以下、「商品群」）に含まれる商品は、多数の商品の中から厳選された商品である。また、広告印刷物の紙面に掲載される商品の選択は、一般に、流通小売業者における商品部門によって行われるようになっている。更に、商品部門には複数の部署があり、上記セール企画毎に、商品を選択する担当部署が割り当てられるようになっている。
【０００５】
各担当部署は、生活者のニーズに合ったセール企画を立て商品の選択をすることが重要となってくる。例えば、食品スーパー等において、初冬の時期には、「おでん」や「鍋物」に関係したセール企画を立てることで、一般的な「食材コーナー」などのセール企画に比べ生活者の興味を引き立てることができる。更に、メインとなるセール企画における商品情報を広告印刷物物の紙面の目立つ場所に掲載するなど、セール企画の内容だけでなく、セール企画における商品情報の掲載位置も販促効果に影響してくる。従って、各担当部署は、掲載する商品の選定に当たって、売れ筋の商品や割引率の高い商品を選定したり、優先順位の高いものから目立つ掲載位置に配置したりするなどの工夫をして売上目標を達成すべく努力することになる。そして、最終的に、各担当部署のセール企画毎に、売上分析がなされ、その結果が次回の販促戦略の材料として重要な資料となる。
【０００６】
しかしながら、従来の売上げ情報処理システムでは、広告印刷物に掲載された各商品の表示位置上に、各商品の販売数及び売上高が配置された売上げ情報レイアウトデータでしかなかったために、流通小売業者は、セール企画毎、担当部署毎、それに対応する商品群毎に、売上結果を的確に把握、分析等することが容易ではなかった。また、流通小売業者は、セール企画毎に設定された売上目標と、その売上結果を、より効率良く把握することが容易ではなかった。
【０００７】
本発明は、以上の点に鑑みてなされたものであり、広告印刷物の紙面上でセール企画等毎に売上情報を、的確、かつ効率良く把握させることが可能な売上掲載紙面作成装置及び方法等、並びに売上掲載紙面表示装置及び方法等を提供することを課題とする。
【課題を解決するための手段】
【０００８】
上記課題を解決するために、１つの観点における本発明に係る売上掲載紙面作成装置は、複数の商品群についての商品情報が掲載された広告印刷物の紙面画像データと、各前記商品群についての売上情報と、前記広告印刷物の紙面画像上における前記各商品群についての商品情報の掲載位置を示す位置データと、を記憶する記憶手段と、前記位置データに基づいて、前記各商品群についての売上情報を、前記広告印刷物の紙面画像上における夫々の前記商品群についての商品情報の掲載位置に配置して売上掲載紙面画像データを作成する売上掲載紙面作成手段と、を備えることを特徴とする。
【０００９】
また、上記売上掲載紙面作成装置において、前記作成された売上掲載紙面画像データに基づいて、前記各商品群についての売上情報が、夫々の前記商品群についての商品情報の掲載位置に配置された広告印刷物の紙面画像を表示させる画像表示手段を更に備えることを特徴とする。
【００１０】
また、上記売上掲載紙面作成装置において、各前記売上情報は、前記各商品群についての商品情報上の全部又は一部に重畳されて表示されることを特徴とする。
【００１１】
また、上記売上掲載紙面作成装置において、同一の前記商品群に含まれる各商品についての商品情報は、前記広告印刷物の紙面画像上の所定位置にまとまって表示されることを特徴とする。
【００１２】
また、上記売上掲載紙面作成装置において、前記売上情報には、前記商品群についての売上目標に関する情報と、その売上目標に対する売上結果に関する情報が含まれており、前記売上目標に関する情報と前記売上結果に関する情報とが、前記各商品群についての商品情報の掲載位置に表示されることを特徴とする。
【００１３】
また、上記売上掲載紙面作成装置において、前記商品群に含まれる商品の売上を、各商品群毎に集計して前記売上情報を求める売上集計手段を更に備えることを特徴とする。
【００１４】
また、通信ネットワークを介して端末装置が接続可能な上記売上掲載紙面作成装置において、前記画像表示手段は、前記通信ネットワークを介して、前記端末装置の表示画面上に、前記各商品群についての売上情報が、夫々の前記商品群についての商品情報の掲載位置に配置された広告印刷物の紙面画像を表示させることを特徴とする。
【００１５】
また、通信ネットワークを介して端末装置が接続可能な上記売上掲載紙面作成装置において、前記通信ネットワークを介して、前記端末装置から、前記各商品群に含まれる商品についての商品情報の登録を行う担当部署毎に固有の識別情報を取得する識別情報取得手段と、前記通信ネットワークを介して、前記端末装置からの指示に従い、前記各商品群に含まれる商品についての商品情報の登録を行う商品情報登録手段と、を更に備え、前記商品情報登録手段は、前記取得された識別情報に対応する商品群に含まれる商品についての商品情報の登録を行うことを特徴とする。
【００１６】
また、他の観点における本発明に係る売上掲載紙面作成処理プログラムは、コンピュータを、上記売上掲載紙面作成装置として機能させることを特徴とする。
【００１７】
また、他の観点における本発明に係る売上掲載紙面表示装置において、複数の商品群についての商品情報が掲載された広告印刷物の紙面画像データと、各前記商品群についての売上情報と、前記広告印刷物の紙面画像上における前記各商品群についての商品情報の掲載位置を示す位置データと、を記憶する記憶手段と、前記広告印刷物の紙面画像データに基づいて、前記広告印刷物の紙面画像を表示させる画像表示手段と、前記位置データに基づいて、前記各商品群についての売上情報を、前記表示された広告印刷物の紙面画像上における夫々の前記商品群についての商品情報の掲載位置に表示させる売上情報表示手段と、を備えることを特徴とする。
【００１８】
また、上記売上掲載紙面表示装置において、前記売上情報表示手段は、各前記売上情報を、前記各商品群についての商品情報上の全部又は一部に重畳して表示させることを特徴とする。
【００１９】
また、上記売上掲載紙面表示装置において、同一の前記商品群に含まれる各商品についての商品情報は、前記広告印刷物の紙面画像上の所定位置にまとまって表示されることを特徴とする。
【００２０】
また、上記売上掲載紙面表示装置において、前記売上情報には、前記商品群についての売上目標に関する情報と、その売上目標に対する売上結果に関する情報が含まれており、前記売上目標に関する情報と前記売上結果に関する情報とが、前記各商品群についての商品情報の掲載位置に表示されることを特徴とする。
【００２１】
また、上記売上掲載紙面表示装置において、前記商品群に含まれる商品の売上を、各商品群毎に集計して前記売上情報を求める売上集計手段を更に備えることを特徴とする。
【００２２】
また、通信ネットワークを介して端末装置が接続可能な上記売上掲載紙面表示装置において、前記画像表示手段は、前記通信ネットワークを介して、前記端末装置の表示画面上に前記広告印刷物の紙面画像を表示させ、前記売上情報表示手段は、前記各商品群についての売上情報を、前記端末装置の表示画面上に表示された広告印刷物の紙面画像上における夫々の前記商品群についての商品情報の掲載位置に表示させることを特徴とする。
【００２３】
また、通信ネットワークを介して端末装置が接続可能な上記売上掲載紙面表示装置において、前記通信ネットワークを介して、前記端末装置から、前記各商品群に含まれる商品についての商品情報の登録を行う担当部署毎に固有の識別情報を取得する識別情報取得手段と、前記通信ネットワークを介して、前記端末装置からの指示に従い、前記各商品群に含まれる商品についての商品情報の登録を行う商品情報登録手段と、前記商品情報登録手段は、前記取得された識別情報に対応する商品群に含まれる商品についての商品情報の登録を行うことを特徴とする。
【００２４】
また、他の観点における本発明に係る売上掲載紙面表示処理プログラムは、コンピュータを、上記売上掲載紙面表示装置として機能させることを特徴とする。
【００２５】
また、他の観点における本発明に係る売上掲載紙面作成方法は、複数の商品群についての商品情報が掲載された広告印刷物の紙面画像データと、各前記商品群についての売上情報と、前記広告印刷物の紙面画像上における前記各商品群についての商品情報の掲載位置を示す位置データと、を取得する工程と、前記位置データに基づいて、前記各商品群についての売上情報を、前記広告印刷物の紙面画像上における夫々の前記商品群についての商品情報の掲載位置に配置して売上掲載紙面画像データを作成する工程と、を備えることを特徴とする。
【００２６】
また、他の観点における本発明に係る売上掲載紙面表示方法は、複数の商品群についての商品情報が掲載された広告印刷物の紙面画像データと、各前記商品群についての売上情報と、前記広告印刷物の紙面画像上における前記各商品群についての商品情報の掲載位置を示す位置データと、を取得する工程と、前記広告印刷物の紙面画像データに基づいて、前記広告印刷物の紙面画像を表示させる工程と、前記位置データに基づいて、前記各商品群についての売上情報を、前記表示された広告印刷物の紙面画像上における夫々の前記商品群についての商品情報の掲載位置に表示させる工程と、を備えることを特徴とする。
【発明の効果】
【００２７】
本発明によれば、広告印刷物の紙面画像上における各商品群の掲載位置に売上情報が配置された売上掲載紙面画像を作成し表示するように構成したので、流通小売業者は、例えば売上結果を商品群毎に、的確に把握、分析等することができる。例えば、流通小売業者は、広告印刷物の紙面のどの範囲に何の商品群を設定して掲載したかによって、どの程度売れたかを容易に把握することができる。
【発明を実施するための最良の形態】
【００２８】
以下、図面を参照して本発明の最良の実施形態について詳細に説明する。なお、以下に説明する実施の形態は、売上掲載紙面作成（表示）システムに対して本発明を適用した場合の実施形態である。
【００２９】
［売上掲載紙面作成システムＳの構成等］
先ず、図１を参照して本発明の一実施形態にかかる売上掲載紙面作成・表示システムの構成について説明する。
【００３０】
図１は、本実施形態にかかる売上掲載紙面作成・表示システムのハードウェア構成の一例を示す図である。
【００３１】
図１に示すように、売上掲載紙面作成・表示システムＳは、売上掲載紙面作成装置及び売上掲載紙面表示装置としての売上掲載紙面作成・表示サーバ１と、流通小売業者の本部の端末装置２と、流通小売業者の店舗の端末装置３と、を含んで構成されており、それらは、通信ネットワークの一例としてのインターネット４に接続されている。そして、端末装置２及び端末装置３は、インターネット４を介して売上掲載紙面作成・表示サーバ１に接続し、相互にデータの送受信が可能になっている。また、本部の端末装置２にはＰＯＳ(Point-Of-Sail)システム５が、店舗の端末装置３にはＰＯＳ端末６が、それぞれ接続されるようになっている。ＰＯＳ端末６では、公知の如く当該店舗において販売された商品の売上高、売上数等の情報を管理するようになっている。また、ＰＯＳシステム５は、例えば全店舗のＰＯＳ端末６に専用線を介して接続されており、全店舗のＰＯＳ端末６から商品の売上高、売上数等の情報を取得して管理するようになっている。
【００３２】
なお、通信ネットワークは、インターネットに限定されるものではなく、例えば専用線により構築されたネットワークであってもよい。また、実際には、流通小売業者の本部に複数の端末装置が接続されるが、本実施形態においては、説明の便宜上、１つの端末装置２を示して説明するものとする。また、実際には、流通小売業者は、複数の店舗を有し、それぞれの店舗が端末装置３を有するが、本実施形態においては、説明の便宜上、１つの店舗の端末装置３を示して説明するものとする。また、本実施形態においては、売上掲載紙面作成・表示サーバ１は、インターネット４上で情報提供サービスを行うＷｅｂサーバとして説明する。
【００３３】
ここで、流通小売業者の本部には、例えば販促（販売促進）部門と商品部門があり、それぞれの部門には、売上掲載紙面作成・表示サーバ１に接続可能な端末装置２が設置されている。例えば、販促部門は、端末装置２から売上掲載紙面作成・表示サーバ１に接続して、複数種類の商品についての商品情報を広告する広告印刷物の名称（広告印刷物名）、その広告印刷物に掲載された商品が販売されるセール名、そのセール期間、その広告印刷物のサイズ・種別等の情報（以下、総称して、「広告印刷物情報」という）を、後述する商品データベースに記憶（登録）する。各広告印刷物情報には、例えば、固有の広告印刷物コードが付与され管理される。
【００３４】
また、この広告印刷物の紙面には、新聞の折込チラシのように大小様々な複数の領域が設けられており、各領域には各商品の商品情報が配置されるが、販促部門では、かかる広告印刷物の紙面のどの範囲（上記領域が複数含まれる範囲）に何のセール企画を割り当て、各セール企画において掲載すべき商品数及びその商品を選定する担当部署などを決定する。そのようなセール企画の名称（セール企画名）、セール企画数、更にはセール企画に含まれる商品数及び担当部署等の情報（以下、これを総称して、「セール企画情報」という）もまた、販促部門により端末装置２から後述する商品データベースに上記広告印刷物情報に対応付けられて記憶（登録）される。各セール企画情報は、固有のセール企画コードが付与され管理される。
【００３５】
一方、商品部門における各担当部署は、端末装置２から売上掲載紙面作成・表示サーバ１に接続して、担当するセール企画において掲載すべき商品群についての商品情報（商品群に含まれる各商品についての商品情報）を選定して後述する商品データベースに記憶（登録）し、更に、その商品情報の追加、修正等を行った後、当該商品群についての商品情報を確定（掲載商品リストを作成）する。
【００３６】
次に、図２を参照して本実施形態にかかる売上掲載紙面作成・表示サーバ１の構成及び機能について説明する。
【００３７】
図２は、売上掲載紙面作成・表示サーバ１の概要構成を示す機能ブロック図である。図２に示すように、売上掲載紙面作成・表示サーバ１は、制御部１１、記憶部１２、及び通信部１３等を備えたコンピュータにより構成される。なお、これらの構成要素の他にも、オペレータが指示入力を行うための入力部（キーボードやマウス等）や、各種情報を表示する表示部（モニタ等）を備えているが図示を省略している。
【００３８】
制御部１１は、演算機能を有するＣＰＵ、作業用ＲＡＭ、及び各種プログラムやデータを記憶するＲＯＭ等によって構成される。そして、ＣＰＵが例えばＲＯＭ或いは記憶部１２に記憶された売上掲載紙面作成処理プログラム及び売上掲載紙面表示処理プログラムを含む売上掲載紙面作成・表示処理プログラムを実行することにより、コンピュータが売上掲載紙面作成・表示サーバ１として機能するようになっている。また、この売上掲載紙面作成・表示処理プログラムの実行により、制御部１１は、本発明における売上掲載紙面作成手段、画像表示手段、売上情報表示手段、売上集計手段、識別情報取得手段、及び商品情報登録手段として機能するようになっている。これらの各手段についての詳細な説明は、後述する。
【００３９】
なお、売上掲載紙面作成・表示処理プログラムは、例えばインターネット４上の他のサーバからサーバ１にダウンロードされるようにしてもよいし、ＣＤ−ＲＯＭ等の記録媒体に記録されてＣＤ−ＲＯＭ等のドライブを介してサーバ１に提供されるようにしてもよい。
【００４０】
記憶部１２は、例えばハードディスクドライブ（ＨＤＤ）等の記憶手段からなり、ここには、商品データベース（ＤＢ）１２ａ、基準紙面画像データベース（ＤＢ）１２ｂ、簡易紙面画像データベース（ＤＢ）１２ｃ、売上情報データベース（ＤＢ）１２ｄ、売上掲載紙面画像データベース（ＤＢ）１２ｅ、及び提示画面データベース（ＤＢ）１２ｆが構築されている。その他にも、本システムＳのユーザ登録データベース等が記憶部１２に構築されているが図示を省略している。
【００４１】
商品データベース１２ａには、上記広告印刷物に掲載される商品についての商品情報に係る商品データが、上記広告印刷物情報及びセール企画情報毎に対応付けられて記憶（登録）される。
【００４２】
この商品情報には、広告印刷物の紙面上に配置される文字、画像、イラスト、ロゴ、マーク等の情報が含まれ、例えば、商品名、メーカ名、ＪＡＮコード、商品仕様（サイズ、重量、材質、色等）や規格、商品価格（メーカ希望価格、通常価格、売価）、割引率、商品の画像（商品の外観が撮影されたもの）、商品のキャッチコピー、商品の販促情報（「人気商品」、「売れてます」、「推薦商品」、「新商品」等の情報）等が含まれ、各商品情報は、例えば商品コードが付与されて管理される。
【００４３】
基準紙面画像データベース（ＤＢ）１２ｂには、複数に区分された領域を有する紙面画像に係る紙面画像データが記憶（登録）される。この紙面画像は、広告印刷物の紙面における各領域に商品情報が配置される前の画像（基準となる画像）であり、例えば販促部門が広告印刷物情報を商品データベース１２ａに登録する際に作成され、基準紙面画像データベース（ＤＢ）１２ｂに記憶される。作成された基準紙面画像データは、例えば広告印刷物コードが付与されて管理されるようになっている。
【００４４】
図３は、紙面画像の一例を示す図である。図３の例では、紙面画像５０上には、上述した各セール企画（「日用品」、「健康食品」、「ベビー用品」等）の範囲が割り当てられており、それぞれのセール企画の範囲には、商品群についての商品情報が掲載される複数に区分された領域（例えば、セール企画「日用品」については領域Ａ〜Ｄ）が設けられている。これらの各領域Ａ〜Ｏには、特定の商品についての商品情報が掲載されることになる。ここで、「複数に区分」とは、制御部１１が各領域を識別可能に区分という意味であり、必ずしも紙面画像５０上で枠等により視覚的に区分されるというものではない。
【００４５】
そして、各セール企画の範囲には、紙面画像５０上における当該範囲の位置情報（例えば、紙面画像５０上における左上頂点の座標（Ｘ１，Ｙ１）と、右下頂点の座標（Ｘ２，Ｙ２）と、中心点の座標（（Ｘ１＋Ｘ２）／２，（Ｙ１＋Ｙ２）／２））が、紙面画像５０上における各商品群についての商品情報の掲載位置を示す位置データ（以下、「商品群位置データ」という）として付与されている。
【００４６】
また、各領域には、紙面画像５０上における当該領域の位置情報（例えば、紙面画像５０上における左上頂点の座標（Ｘ５，Ｙ５）と、右下頂点の座標（Ｘ６，Ｙ６））と、当該領域上における商品情報の位置及び表示形式（文字の場合：フォント、書体、間隔、色等。画像、イラスト及びロゴの場合：大きさや色等）を示す情報と、が領域データとして付与されている。
【００４７】
図４は、領域Ａにおける商品情報の位置の例を示す図である。図４の例では、領域Ａの上部の小領域５１には「商品名」が、中央部の小領域５２には「商品の画像」が、下部の小領域５３には「売価」が、それぞれ位置（配置）されるようになっている。
【００４８】
そして、上記領域データに含まれる商品情報の位置を示す情報は、例えば、各小領域の位置情報（例えば、一つの小領域に対し領域Ａ上における左上頂点の座標（Ｖ１，Ｗ１）と、右下頂点の座標（Ｖ２，Ｗ２）が示されている）と、各小領域と商品情報との対応付け（割り付け）を示している。
【００４９】
上記商品群位置データ及び領域データは、紙面画像データに対応付けられて基準紙面画像データベース１２ｂに記憶され、商品群位置データは、例えばセール企画コードが付与されて管理される。
【００５０】
簡易紙面画像データベース１２ｃには、商品情報が紙面画像上における全部又は一部の領域に配置されて作成された簡易紙面画像データが記憶（登録）される。作成された簡易紙面画像データは、例えば広告印刷物コードが付与されて管理される。また、かかる簡易紙面画像データには、上記商品群位置データ及び領域データが付与されることになる。紙面画像上における領域への商品情報の配置が確定すると、当該領域の紙面画像上における位置情報が、その領域に配置された商品情報に係る商品データに対応付けられて商品データベース１２ａに記憶されることになる。
【００５１】
なお、本実施形態においては、商品情報が紙面画像上における全部の領域に配置されて作成された簡易紙面画像は、広告印刷物の紙面画像として扱うものとする。
【００５２】
売上情報データベース１２ｄには、広告印刷物に掲載される各商品の売上情報が、例えば商品コードに対応付けられて記憶（登録）される。この売上情報には、各商品についての売上目標に関する情報、その売上目標に対する売上結果に関する情報の何れか一方又は双方が含まれる。
【００５３】
また、売上目標に関する情報には、目標売上高（目標販売額）、目標売上数（目標販売数）等のうち少なくとも一つの情報が含まれ、売上結果に関する情報には、売上高（販売額）、売上数（販売数）、及び利益率等のうち少なくとも一つの情報が含まれる。そして、売上目標に関する情報は、例えば各セール企画の担当部署によって売上情報データベース１２ｄに登録される。また、売上結果に関する情報は、例えばＰＯＳシステム５又はＰＯＳ端末６から取得され、売上情報データベース１２ｄに登録される。
【００５４】
売上掲載紙面画像データベース１２ｅには、各商品群についての売上情報（例えば、当該商品群に含まれる全商品の売上結果が集計されたもの）が、上記広告印刷物の紙面画像上における夫々の商品群についての商品情報の掲載位置（各セール企画の範囲内）に配置されて作成された売上掲載紙面画像データが記憶（登録）される。作成された売上掲載紙面画像データは、例えば広告印刷物コードが付与されて管理される。
【００５５】
提示画面データベース１２ｆには、売上掲載紙面作成・表示サーバ１から端末装置２及び３に提示される（端末装置のモニタ上に表示される）画面の画面データ等が、例えば、ＷｅｂページデータとしてＨＴＭＬ（Hyper Text Markup Language）やＸＭＬ（Extensible Markup Language）形式（画面上のどの位置に文字や画像を埋め込むかを規定している。また、画面上における各種ボタン及びアイコン等は公知のハイパーリンク機能を有するように設定されている）等で記憶されている。
【００５６】
なお、上記データベース１２ａ〜１２ｆ等は、データベースサーバに設けられ、そこで管理されるようにしてもよい。
【００５７】
通信部１３は、インターネット４を介して端末装置２又は３との間でデータ通信を行うためのものであり、制御部１１から送信すべきデータ（信号）が入力されると、当該信号に対して予め設定されている出力インターフェース処理を実行し、当該信号をインターネット４を介して端末装置２又は３に出力し、端末装置２又は３からインターネット４を介して送信されたデータ（信号）に対して予め設定されている入力インターフェース処理を実行し、制御部１１に出力するようになっている。
【００５８】
次に、端末装置２又は３には、例えば汎用のパーソナルコンピュータを適用でき、ＣＰＵ等からなる制御部、ＨＤＤ等の記憶部、キーボード，マウス等の入力部、モニタ等の表示部、及び通信部等を備えており、作成された売上掲載紙面等を印刷するための印刷機（プリンタ）が接続されている。また、端末装置２又は３は、売上掲載紙面作成・表示サーバ１から送信されたＷｅｂページデータ等を受信してモニタ上に表示させるＷｅｂブラウザ機能を有している。これにより、端末装置２又は３のモニタ上には、各種画面が表示されるとともに、その画面上に上記掲載商品リスト、売上掲載紙面画像及び文字等が表示されることになる。
【００５９】
［売上掲載紙面作成・表示システムＳの動作］
次に、本実施形態にかかる売上掲載紙面作成・表示システムＳの動作について売上掲載紙面作成・表示サーバ１を主体として説明する。
【００６０】
先ず、図５を参照して売上掲載紙面作成・表示サーバ１にて実行される提供サービス選択処理について説明する。
【００６１】
図５は、売上掲載紙面作成・表示サーバ１の制御部１１における提供サービス選択処理を示すフローチャートである。
【００６２】
先ず、端末装置２のユーザ（例えば商品部門のある担当部署「商品部２課」のユーザ）が入力部を操作して売上掲載紙面作成・表示サーバ１のＵＲＬ（Uniform Resource Locator）を指定すると、当該端末装置２がインターネット４を介して売上掲載紙面作成・表示サーバ１に接続し通信回線を確立する。
【００６３】
図５の処理において、売上掲載紙面作成・表示サーバ１の制御部１１は、上記接続（アクセス）に応じて、提示画面データベース１２ｆに記憶された識別情報入力画面の画面データ等を取得してインターネット４を介して端末装置２に提示する（送信して表示させる：以下同じ）（ステップＳ１）。
【００６４】
こうして端末装置２のモニタ上に識別情報入力画面（図示せず）が表示され、当該画面上には識別情報及びパスワードを入力するための識別情報入力欄及び実行ボタン等が設けられている。
【００６５】
このような表示状態において、ユーザが端末装置２のキーボードを操作して識別情報入力欄に、その担当部署「商品部２課」に固有の識別情報及びパスワードを入力し実行ボタンをマウスにより指定（クリック）すると、入力された識別情報及びパスワードがインターネット４を介して売上掲載紙面作成・表示サーバ１に送信される。
【００６６】
売上掲載紙面作成・表示サーバ１の制御部１１が、識別情報取得手段として機能し、かかる識別情報及びパスワードを受信（取得）すると（ステップＳ２：Ｙ）、受信された識別情報及びパスワードが例えば本システムＳのユーザ登録データベース（例えば、本部の部門（担当部署含む）名と、識別情報と、パスワードとが対応付けられて登録）に記憶されているか否かを判断し（ステップＳ３）、記憶されていない場合には（ステップＳ３：Ｎ）、端末装置２のモニタ上にエラーメッセージを表示させ（ステップＳ４）、処理を終了する。
【００６７】
一方、受信された識別情報及びパスワードが登録されている場合には（ステップＳ３：Ｙ）、制御部１１は、入力された識別情報にて認識される担当部署に応じたアプリケーションプログラムの選定（提供サービスの決定）及び各種パラメータ等の設定に基づき、提示画面データベース１２ｆに記憶された提供サービス選択画面の画面データ等を取得し、インターネット４を介して端末装置２に提示する（ステップＳ５）。
【００６８】
こうして端末装置２のモニタ上に提供サービス選択画面（図示せず）が表示され、当該画面上には、掲載商品リスト作成処理アイコン、簡易紙面作成処理アイコン、及び売上情報リスト作成処理アイコンが設けられている。
【００６９】
このような表示状態において、ユーザが端末装置２の例えばマウスにより所望の処理アイコンを指定（クリック）すると、制御部１１は、これを認識し（ステップＳ６：Ｙ）、選択された処理アイコンに応じた処理を実行する（ステップＳ７）。より具体的には、掲載商品リスト作成処理アイコンが選択された場合には掲載商品リスト作成処理が、簡易紙面作成処理アイコンが選択された場合には簡易紙面作成処理が、売上情報リスト作成処理アイコンが選択された場合には売上情報リスト作成処理が、それぞれ実行されることになる。
【００７０】
なお、上記処理において、店舗の端末装置３が売上掲載紙面作成・表示サーバ１に接続し、店舗の端末装置３のユーザが識別情報入力欄に、その店舗に固有の識別情報及びパスワードを入力し、売上掲載紙面作成・表示サーバ１の制御部１１が、かかる識別情報及びパスワードを受信した場合、ステップＳ５において、制御部１１は、入力された識別情報にて認識される店舗に応じたアプリケーションプログラムの選定（提供サービスの決定）及び各種パラメータ等の設定に基づき、提供サービス選択画面の画面データ等を取得し、インターネット４を介して端末装置３に提示することになる。この場合、端末装置３のモニタ上に表示される提供サービス選択画面上には、売上情報リスト作成処理アイコンのみが設けられることになる。
【００７１】
次に、図６等を参照して売上掲載紙面作成・表示サーバ１にて実行される掲載商品リスト作成処理について説明する。
【００７２】
図６は、売上掲載紙面作成・表示サーバ１の制御部１１における掲載商品リスト作成処理を示すフローチャートである。図７は、図６のステップＳ２１に示す商品情報編集処理を示すフローチャートである。
【００７３】
図６に示す掲載商品リスト作成処理が実行されると、制御部１１は、商品データベース１２ａを参照して広告印刷物情報を取得すると共に、提示画面データベース１２ｆに記憶された広告印刷物選択画面の画面データ等を取得して、これらをインターネット４を介して端末装置２に提示する（ステップＳ１１）。
【００７４】
こうして端末装置２のモニタ上に表示された広告印刷物選択画面の一例を図８に示す。
【００７５】
図８に示すように、広告印刷物選択画面３２には、複数種類の広告印刷物情報（例えば、セール期間、セール名、広告印刷物名、広告印刷物のサイズ・種別など）が一覧（リスト）形式で表示されていると共に、各広告印刷物情報に対応して選択入力欄３２ａ、及び商品リスト作成ボタン３２ｂが設けられている。
【００７６】
このような表示状態において、ユーザが端末装置２の例えばマウスを操作して所望の広告印刷物の選択入力欄３２ａをチェック（つまり、広告印刷物情報を選択）した後、商品リスト作成ボタン３２ｂを指定（クリック）すると、制御部１１は、指定された広告印刷物情報を認識し（ステップＳ１２：Ｙ）、続いて、商品データベース１２ａを参照して選択された広告印刷物情報に対応するセール企画情報を取得すると共に、提示画面データベース１２ｆに記憶されたセール企画選択画面の画面データ等を取得して、これらをインターネット４を介して端末装置２に提示する（ステップＳ１３）。
【００７７】
こうして端末装置２のモニタ上に表示されたセール企画選択画面の一例を図９に示す。
【００７８】
図９に示すように、セール企画選択画面３３には、レイアウト位置（紙面上（表面又は裏面）におけるセール企画の概略的位置を示す情報）、セール企画名、担当部署、商品数の情報が一覧（リスト）形式で表示されている。また、入力された識別情報に対応する担当部署「商品部２課」のセール企画名「日用品」３３ａだけが選択可能に表示されている。
【００７９】
このような表示状態において、ユーザが端末装置２の例えばマウスを操作してセール企画名「日用品」３３ａを指定（クリック）すると、制御部１１は、そのセール企画情報を認識し（ステップＳ１４：Ｙ）、続いて、商品データベース１２ａを参照して広告印刷物名、セール企画名等の情報及び当該セール企画に対応する商品情報に係る商品データを取得（未だ登録されていない場合は除く）すると共に、提示画面データベース１２ｆに記憶された掲載商品リスト作成画面の画面データ等を取得して、それらをインターネット４を介して端末装置２に提示する（ステップＳ１５）。
【００８０】
こうして端末装置２のモニタ上に表示された掲載商品リスト作成画面の一例を図１０に示す。
【００８１】
図１０に示すように、掲載商品リスト作成画面３４には、広告印刷物名、セール企画名、及び当該セール企画における商品登録状況が下部に表示されていると共に、既に登録された複数種類の商品についての商品情報（ここでは、広告印刷物における商品情報の位置、商品の画像、メーカ名、商品名、ＪＡＮコード、商品の仕様、商品価格（メーカ希望価格、通常価格、売価、割引率）、商品のキャッチコピー）が一覧（リスト）形式で表示されている。更に、掲載商品リスト作成画面３４には、登録ボタン３４ａ、修正ボタン３４ｂ、及び登録終了ボタン３４ｃが表示されている。
【００８２】
ここで、掲載商品リスト作成画面３４における商品の位置欄３４１には、未だ何も表示されていない。この位置欄３４１には、簡易紙面画像の作成後、その商品情報の紙面画像上における位置（言い換えれば、上述したように、商品情報が配置された領域の紙面画像上における位置）及び商品情報（例えば商品の画像）の大きさが表示されることになる。
【００８３】
このような表示状態において、ユーザが端末装置２の例えばマウスを操作して登録ボタン３４ａを指定（クリック）すると、制御部１１は、これを認識し（ステップＳ１６：Ｙ）し、提示画面データベース１２ｆに記憶された商品情報登録画面の画面データ等を取得して、インターネット４を介して端末装置２に提示する（ステップＳ１７）。
【００８４】
こうして端末装置２のモニタ上に商品情報登録画面（図示せず）が表示され、当該画面上には上記商品情報を入力するための複数の商品情報入力欄及び登録ボタン等が設けられている。このような表示状態において、ユーザが端末装置２の入力部を操作して各商品情報入力欄に商品情報を入力（商品の画像については、例えば画像ファイル名を入力）して登録ボタンを例えばマウスにより指定（クリック）すると、入力された商品情報に係る商品データがインターネット４を介して売上掲載紙面作成・表示サーバ１に送信される。
【００８５】
売上掲載紙面作成・表示サーバ１の制御部１１が、かかる商品情報に係る商品データを受信すると（ステップＳ１８：Ｙ）、商品情報登録手段として機能し、商品データベース１２ａに記憶されている広告印刷物情報及びセール企画情報に対応付けて当該商品データを商品データベース１２ａに記憶（登録）する（ステップＳ１９）。再び、掲載商品リスト作成画面が端末装置２に提示される。
【００８６】
こうして端末装置２のモニタ上に表示された掲載商品リスト作成画面には、図示しないが、ステップＳ１９で登録された商品情報がリストに追加されて表示される。
【００８７】
次に、掲載商品リスト作成画面３４の表示状態において、ユーザが端末装置２の例えばマウスを操作して修正ボタン３４ｂを指定（クリック）すると、制御部１１は、これを認識し（ステップＳ２０：Ｙ）し、図７に示す商品情報編集処理に移行する（ステップＳ２１）。
【００８８】
図７に示す商品情報編集処理では、制御部１１は、上記広告印刷物名、セール企画名等の情報及び当該セール企画に対応する商品情報に係る商品データを取得すると共に、提示画面データベース１２ｆに記憶された商品情報編集画面の画面データ等を取得して、インターネット４を介して端末装置２に提示する（ステップＳ２１１）。
【００８９】
こうして端末装置２のモニタ上に表示された商品情報編集画面の一例を図１１に示す。
【００９０】
図１１に示すように、商品情報編集画面３５には、上記処理にて登録された商品情報が一覧（リスト）形式で変更可能に表示されており、登録ボタン３５ａが設けられている。
【００９１】
このような表示状態において、ユーザは、入力部を操作して、商品毎に商品情報を修正することができる。このような商品情報の修正は、上述した簡易紙面画像の作成後の方がより効果的である。例えば、商品情報である「キャッチコピー」を領域に配置した後、バランスの良いように修正する等が挙げられる。
【００９２】
ユーザが、必要に応じて、端末装置２の入力部を操作して商品情報の変更を行い登録ボタン３５ａを例えばマウスにより指定（クリック）すると、変更された商品情報に係る商品データがインターネット４を介して売上掲載紙面作成・表示サーバ１に送信される。
【００９３】
売上掲載紙面作成・表示サーバ１の制御部１１が、変更された商品情報に係る商品データを受信すると（ステップＳ２１２：Ｙ）、商品データベース１２ａに記憶されている該当する商品情報に係る商品データを変更（更新）する（ステップＳ２１３）。そして、制御部１１は、再び、掲載商品リスト作成画面を端末装置２に提示し（ステップＳ２１４）、図６の処理に戻る。
【００９４】
こうして端末装置２のモニタ上に表示された掲載商品リスト作成画面には、図示しないが、ステップＳ２１３にて更新された商品情報がリストに反映されて表示される。
【００９５】
そして、掲載商品リスト作成画面３４の表示状態において、ユーザが端末装置２の例えばマウスを操作して登録終了ボタン３４ｃを指定（クリック）すると、制御部１１はこれを認識し（ステップＳ２２：Ｙ）、図５に示す提供サービス選択処理に戻る（ステップＳ５に戻る）。
【００９６】
こうして、掲載商品リストが商品データベース１２ａに作成されることになる。
【００９７】
次に、図１２等を参照して売上掲載紙面作成・表示サーバ１にて実行される簡易紙面作成処理について説明する。
【００９８】
図１２は、売上掲載紙面作成・表示サーバ１の制御部１１における簡易紙面作成処理を示すフローチャートである。
【００９９】
なお、図１２において、ステップＳ３１からＳ３４までの処理は、図６におけるステップＳ１１からＳ１４までの処理と同様であるので説明を省略する。
【０１００】
制御部１１は、商品データベース１２ａを参照して、広告印刷物名、セール企画名等の情報及び当該セール企画に対応する商品情報に係る商品データを取得すると共に、基準紙面画像データベース１２ｂを参照し、当該広告印刷物情報に対応する紙面画像データ及び領域データを取得する。続いて、制御部１１は、提示画面データベース１２ｆに記憶された簡易紙面作成画面の画面データ等を取得し、取得した商品データ、紙面画像データ、領域データ及び画面データ等をインターネット４を介して端末装置２に提示する（ステップＳ３５）。
【０１０１】
こうして端末装置２のモニタ上に表示された簡易紙面作成画面の一例を図１３に示す。
【０１０２】
図１３に示すように、簡易掲載紙面作成画面３６には、広告印刷物名及びセール企画名が上部に表示されていると共に、紙面画像表示部３６ａ、商品情報表示部３６ｂ、及び登録ボタン３６ｃが設けられている。
【０１０３】
なお、図１３の例では、紙面画像表示部３６ａと商品情報表示部３６ｂとが同一画面上に設けられているが、例えば、切換可能に設けられるように構成してもよい。
【０１０４】
紙面画像表示部３６ａには、上述したように複数に区分された領域が設けられた紙面画像５０が表示されている。また、紙面画像５０上において、入力された識別情報に対応するセール企画の範囲３６０が、他の部分と視覚的に識別可能に表示（例えば、ハイライト表示）されている。つまり、かかる範囲３６０内に存在する領域に対し、担当部署「商品部２課」のユーザは商品情報を配置させることができる。なお、この紙面画像５０は、ユーザが例えばマウスにより上下左右ボタン３６１〜３６４をクリックすることにより、紙面画像表示部３６ａ内で上下左右に移動するようになっている。
【０１０５】
また、商品情報表示部３６ｂには、上記掲載商品リスト作成処理により登録された商品情報が商品毎に対応付けられた掲載商品リスト６０が表示されている。なお、この掲載商品リスト６０もまた、ユーザが例えばマウスにより上下左右ボタン３６５〜３６８を指定（クリック）することにより、商品情報表示部３６ｂ内で上下左右に移動するようになっている。
【０１０６】
このような表示状態において、ユーザが掲載商品リスト６０の中の所望の商品についての商品情報（例えば、商品の画像）を例えばマウスにより選択しドラッグ（マウスのボタンを押し続けつつマウスを移動させる）して紙面画像５０上の所望の領域Ａにドロップ（継続して押し続けていたボタンを離して領域指定）すると、制御部１１による商品情報配置・簡易紙面画像作成処理の実行（ステップＳ３７）によって、選択された商品情報が指定された領域Ａで展開されて表示される。
【０１０７】
より具体的には、ユーザが商品情報を端末装置２の例えばマウスにより選択すると、制御部１１は、これを認識し（ステップＳ３６：Ｙ）、当該商品情報の選択を受け付け、続いて、ユーザが当該商品情報を紙面画像５０上の所望の領域Ａにドロップして領域指定すると、制御部１１は、当該領域指定を受け付ける。そして、制御部１１は、上記領域データに従って、選択された商品情報を指定された領域に配置して簡易紙面画像データを作成する。つまり、制御部１１は、領域Ａに付与された領域データに含まれる各小領域と商品情報との対応付け（図４参照）に示された商品情報を、選択された商品情報の中から抽出し、抽出された商品情報を上記領域データに含まれる表示形式に従って、対応する小領域に配置して簡易紙面画像データを作成する。そして、制御部１１は、そのように作成された簡易紙面画像データを端末装置２に送信してモニタ上に表示させる。ここで送信される簡易紙面画像データは、商品情報が配置された領域部分のみの配置画像データのみであってもよい（但し、この場合、その領域の位置を示すため、その領域の領域データも送信される）。
【０１０８】
なお、上記簡易紙面画像データの作成処理は、端末装置２のＷｅｂブラウザ上で動作するプログラム（例えば、ＦＬＡＳＨ，ＳＶＧ（Scalable Vector Graphics），Ｊａｖａ（登録商標）アプレット等）で行うように構成してもよい。この場合、端末装置２のＷｅｂブラウザ上では、領域Ａに付与された領域データに含まれる各小領域と商品情報との対応付けに示された商品情報を、選択された商品情報の中から抽出し、抽出された商品情報を上記領域データに含まれる表示形式に従って、対応する小領域に配置して簡易紙面画像データを作成し、モニタ上に表示させる。そして、端末装置２は、作成された簡易紙面画像データを、売上掲載紙面作成・表示サーバ１に送信する。
【０１０９】
図１４は、紙面画像上における領域に商品情報が配置された後の簡易紙面作成画面の一例を示す図である。図１４に示すように、紙面画像５０上における領域Ａには商品情報が表示されている。このように、ユーザは、掲載商品リスト６０における商品情報を紙面画像５０に順次配置していくことができる（なお、簡易紙面作成画面上に配置取消しボタンを設け、かかるボタンがマウスにより指定（クリック）されることによって、当該商品情報の配置が取り消されるように構成してもよい）。但し、制御部１１は、入力された識別情報に対応するセール企画の範囲３６０内の領域へのみ配置を行うように処理する。このように、上記処理によって全ての担当部署によって、紙面画像５０上における各領域に商品情報が配置されることによって、実質的に広告印刷物の紙面と同一の簡易紙面の画像が作成されることになる。
【０１１０】
そして、ユーザが端末装置２の例えばマウスを操作して登録ボタン３６ｃを指定（クリック）すると、制御部１１は、これを認識し（ステップＳ３８：Ｙ）、上記作成された簡易紙面画像データを広告印刷物コードに対応付けて簡易紙面画像データベース１２ｃに記憶（登録）する（ステップＳ３９）。続いて、制御部１１は、商品情報が配置された領域の紙面画像上における位置情報を、その領域に配置された商品情報に係る商品データに対応付けて商品データベース１２ａに記憶（登録）する（ステップＳ４０）。こうして、図５に示す提供サービス選択処理に戻る（ステップＳ５に戻る）。
【０１１１】
なお、上記ステップＳ４０にて登録された位置情報によって、その後、掲載商品リスト作成処理によって掲載商品リスト作成画面又は商品情報編集画面が端末装置２のモニタ上に表示されたとき、これらの画面上における各商品の位置欄には、各商品についての商品情報の紙面画像上における位置（言い換えれば、商品情報が配置された領域の紙面画像上における位置）及び商品情報（例えば商品の画像）の大きさ（大、中、普通、小等で示される）が表示される。つまり、簡易紙面作成画面３６において、紙面画像５０上における領域に配置された商品情報の位置を示す情報が、掲載商品リストに反映され掲載商品リスト作成画面又は商品情報編集画面に表示されることになる。
【０１１２】
このように、商品部門における各担当部署によって紙面画像５０上における各領域に商品情報を配置していき、全ての領域への配置が終了した簡易紙面画像データ（即ち、広告印刷物の紙面画像データ）及び掲載商品リストは、例えば売上掲載紙面作成・表示サーバ１から印刷業者の公知のＤＴＰ（Desk Top Publishing）システム（図示せず）に送られ、印刷業者は簡易紙面画像データ及び掲載商品リストを確認しながら、広告印刷物の製版を行うことになる。
【０１１３】
次に、図１５等を参照して売上掲載紙面作成・表示サーバ１にて実行される売上情報リスト作成処理について説明する。
【０１１４】
図１５は、売上掲載紙面作成・表示サーバ１の制御部１１における売上情報リスト作成処理を示すフローチャートである。
【０１１５】
図１５に示す売上情報リスト作成処理が実行されると、制御部１１は、簡易紙面画像データベース１２ｃに広告印刷物の紙面画像データが登録されているか否かを判別し（ステップＳ５０）、登録されている場合には（ステップＳ５０：Ｙ）、ステップＳ５１に移行する。一方、広告印刷物の紙面画像データが登録されていない場合には（ステップＳ５０：Ｎ）、制御部１１は、端末装置２のモニタ上にエラーメッセージ（未だ、広告印刷物の紙面画像データが登録されていない旨）を表示させ（ステップＳ５０：Ｎ）、図５に示す提供サービス選択処理に戻る（ステップＳ５に戻る）。
【０１１６】
ステップＳ５１では、制御部１１は、商品データベース１２ａを参照して広告印刷物情報を取得すると共に、提示画面データベース１２ｆに記憶された広告印刷物選択画面の画面データ等を取得して、これらをインターネット４を介して端末装置２に提示する。
【０１１７】
こうして、図８にて示した広告印刷物選択画面３２が端末装置２のモニタ上に表示され、ユーザが端末装置２の例えばマウスを操作して所望の広告印刷物の選択入力欄３２ａをチェック（つまり、広告印刷物情報を選択）した後、リスト作成ボタン３２ｂを指定（クリック）すると、制御部１１は、指定された広告印刷物情報を認識し（ステップＳ５２：Ｙ）、続いて、図５に示す提供サービス選択処理にて入力された識別情報が商品部門のものであるか否かを判別する（ステップＳ５３）。当該識別情報が商品部門のものでない場合、例えば、販促部門の識別情報であったり、店舗の識別情報である場合には、ステップＳ５６に移行する。一方、当該識別情報が商品部門のものである場合には、制御部１１は、商品データベース１２ａを参照して選択された広告印刷物情報に対応するセール企画情報を取得すると共に、提示画面データベース１２ｆに記憶されたセール企画選択画面の画面データ等を取得して、これらをインターネット４を介して端末装置２に提示する（ステップＳ５４）。
【０１１８】
こうして、図９にて示したセール企画選択画面３３が端末装置２のモニタ上に表示され、ユーザが端末装置２の例えばマウスを操作してセール企画名「日用品」３３ａを指定（クリック）すると、制御部１１は、そのセール企画情報を認識し（ステップＳ５５：Ｙ）、続いて、商品データベース１２ａを参照して広告印刷物名、セール企画名等の情報及び当該セール企画に対応する商品情報に係る商品データを取得すると共に、提示画面データベース１２ｆに記憶された売上情報リスト作成画面の画面データ等を取得して、それらをインターネット４を介して端末装置２に提示する（ステップＳ５６）。
【０１１９】
こうして端末装置２のモニタ上に表示された売上情報リスト作成画面の一例を図１６に示す。図１６に示すように、売上情報リスト作成画面３７には、広告印刷物名及びセール企画名が上部に表示されていると共に、既に登録された当該セール企画における商品群に含まれる商品についての商品情報（ここでは、広告印刷物における商品情報の位置、商品の画像、メーカ名、商品名、ＪＡＮコード）が一覧（リスト）形式で表示されている。
【０１２０】
また、売上情報リスト作成画面３７には、各商品に対応付けられて、売上高表示欄３７１、売上数表示欄３７２、順位表示欄３７３、目標売上高入力欄３７４、及び目標売上数入力欄３７５が設けられている。各売上高表示欄３７１及び各売上数表示欄３７２には、各商品の実際の売上結果である売上高及び売上数が、それぞれ取り込まれて表示され、各順位表示欄３７３は、各商品の売上結果の順位が取り込まれて表示されるようになっている。図１６の例では、未だこれらの売上情報が取り込まれていないので、当該売上情報は、各表示欄に表示されていない。なお、各商品に対応付けられて、利益率等の他の売上情報を表示する表示欄を設けるようにしても構成してもよい。
【０１２１】
各目標売上高入力欄３７４及び各目標売上数入力欄３７５には、各担当部署のユーザが端末装置２の例えばキーボードを操作して各商品の売上高及び売上数の目標値をそれぞれ入力可能になっている。図１６の例では、商品名「ＸＹＺ」の目標売上高及び目標売上数が、それぞれ、目標売上高入力欄３７４及び目標売上数入力欄３７５に入力され、表示されている。
【０１２２】
更に、売上情報リスト作成画面３７には、売上取込ボタン３７ａ、売上作成ボタン３７ｂ、及び登録終了ボタン３７ｃが設けられている。
【０１２３】
このような表示状態において、ユーザが端末装置２の例えばマウスを操作して売上取込ボタン３７ａを指定（クリック）すると、制御部１１は、これを認識し（ステップＳ５７：Ｙ）し、売上情報取込処理に移行する（ステップＳ５８）。
【０１２４】
図１７は、売上掲載紙面作成・表示サーバ１の制御部１１における売上情報取込処理を示すフローチャートである。
【０１２５】
図１７に示す売上情報取込処理では、制御部１１は、提示画面データベース１２ｆに記憶された売上情報取込画面の画面データ等を取得して、インターネット４を介して端末装置２に提示する（ステップＳ５８１）。
【０１２６】
こうして端末装置２のモニタ上に表示された売上情報取込画面の一例を図１８に示す。図１８に示すように、売上情報取込画面３８には、ＰＯＳデータファイル入力欄３８１、ＰＯＳデータファイル選択欄３８２、参照ボタン３８２、及び取込ボタン３８３が設けられている。
【０１２７】
ＰＯＳデータファイル入力欄３８１には、ユーザが端末装置２の例えばキーボードを操作して、各商品についての売上結果（商品コードに対応付けられている）に関する情報を有するＰＯＳデータファイルの名称（図１８の例では、「６月売上データ」）を入力することができる。また、ユーザが端末装置２の例えばマウスを操作して参照ボタン３８２を指定（クリック）すると、端末装置２に記憶されているＰＯＳデータファイルの名称一覧がプルダウン表示され、ユーザがその中から所望のＰＯＳデータファイルの名称を例えばマウスにより指定すると、指定されたＰＯＳデータファイルの名称が入力、表示されるようになっている。このようなＰＯＳデータファイルは、例えば予めＰＯＳシステム５から端末装置２（又はＰＯＳ端末６から端末装置３）へ転送されるようになっている。或いは、ＰＯＳデータファイルは、予めＰＯＳシステム５から売上掲載紙面作成・表示サーバ１に転送されるようにしてもよい。
【０１２８】
ＰＯＳデータファイル入力欄３８１又はＰＯＳデータファイル選択欄３８２に、ＰＯＳデータファイルの名称が入力されている状態で、ユーザが端末装置２の例えばマウスを操作して取込ボタン３８４を指定（クリック）すると、制御部１１は、これを認識し（ステップＳ５８２：Ｙ）し、例えば端末装置２からＰＯＳデータファイルを取込み（取得し）、売上情報データベース１２ｄに、売上結果に関する情報を各商品コードに対応付けて記憶（登録）する（ステップＳ５８３）。これにより、上記売上情報リスト作成画面３７に表示されたセール企画の商品群に含まれる商品ばかりでなく、当該広告印刷物の紙面に掲載される全ての商品群に含まれる商品についての売上結果に関する情報が売上情報データベース１２ｄに登録されることになる。
【０１２９】
そして、図１５に示すステップＳ５６に戻り、商品データベース１２ａを参照して広告印刷物名、セール企画名等の情報及び当該セール企画に対応する商品情報に係る商品データを取得すると共に、売上情報データベース１２ｄを参照して各商品の売上結果に関する情報を取得し、更に、提示画面データベース１２ｆに記憶された売上情報リスト作成画面の画面データ等を取得して、それらをインターネット４を介して端末装置２に提示する。こうして端末装置２のモニタ上に表示された売上情報リスト作成画面３７には、図示しないが、各商品の売上高表示欄３７１、売上数表示欄３７２、及び順位表示欄３７３には、各商品の売上結果である売上高、売上数、及び売上結果の順位が、それぞれ表示されることになる。
【０１３０】
このように各商品の売上結果が表示された状態で、ユーザが端末装置２の例えばマウスを操作して売上作成ボタン３７ｂを指定（クリック）すると、制御部１１は、これを認識し（ステップＳ５９：Ｙ）し、売上掲載紙面画像作成・表示処理に移行する（ステップＳ６０）。
【０１３１】
図１９は、売上掲載紙面作成・表示サーバ１の制御部１１における売上掲載紙面画像作成・表示処理を示すフローチャートである。
【０１３２】
図１９に示す売上掲載紙面画像作成・表示処理では、先ず、制御部１１は、売上集計手段として機能し、広告印刷物の紙面に掲載される商品群毎に、そこに含まれる各商品の売上を集計して各商品群についての売上結果に関する情報を求める（例えば、各商品の売上高の合計及び売上数の合計の算出、更には売上順位（例えば、当該広告印刷物においてその商品群の売上高（又は売上数）の順位等の算出））（ステップＳ６０１）。このように求められた売上結果に関する情報は、一旦、記憶部１２に記憶される。なお、この商品群についての売上結果に関する情報は、上記ステップＳ５８３にて各商品についての売上結果に関する情報が登録される際に、集計されて求められるように構成してもよい。また、この場合、かかる商品群についての売上結果に関する情報は、更に、売上情報リスト作成画面３７上に表示されるように構成してもよい。
【０１３３】
次に、制御部１１は、売上掲載紙面作成手段として機能し、上述した商品群位置データに基づいて、上記各商品群についての売上結果に関する情報を、簡易紙面画像データベース１２ｃに登録された広告印刷物の紙面画像データの当該紙面画像における夫々の商品群についての商品情報の掲載位置に配置して売上掲載紙面画像データを作成する（ステップＳ６０２）。より具体的には、広告印刷物の紙面画像データに付与された商品群位置データによって示された当該紙面画像上における各セール企画の範囲の位置情報（例えば、中心点の座標（（Ｘ１＋Ｘ２）／２，（Ｙ１＋Ｙ２）／２）））が基準とされ、各商品群についての売上結果に関する情報が、夫々の商品群についての商品情報の掲載位置上に配置されて、売上掲載紙面画像データが作成される。
【０１３４】
そして、制御部１１は、提示画面データベース１２ｆに記憶された売上掲載紙面表示画面の画面データ等を取得し、上記作成された売上掲載紙面画像データ及び画面データ等をインターネット４を介して端末装置２に提示する（ステップＳ６０３）。つまり、制御部１１は、画像表示手段として機能し、上記作成された売上掲載紙面画像データに基づいて、売上掲載紙面画像を端末装置２の表示画面上に、売上掲載紙面画像を表示させる。
【０１３５】
こうして端末装置２のモニタ上に表示された売上掲載紙面表示画面の一例を図２０に示す。図２０に示すように、売上掲載紙面表示画面３９には、セール企画（例えば、「日用品」、「健康食品」、「ベビー用品」等）毎に、その商品群についての売上結果に関する情報が、当該商品群についての商品情報の掲載位置に配置された広告印刷物の紙面画像（売上掲載紙面画像）が表示されている。また、図２０の例では、同一のセール企画における商品群に含まれる各商品についての商品情報は、広告印刷物の紙面画像上の所定位置にまとまって表示されており、売上結果に関する情報に含まれる売上高、売上数、及び順位を表示する表示欄３９ｂは、各商品群についての商品情報上の一部に重畳されて表示されている（なお、各商品群についての商品情報上の全部に重畳されるように構成してもよい）。この他にも、売上掲載紙面表示画面３９における表示欄３９ｂに、売上結果に関する情報に含まれる例えば利益率等の情報を表示するように構成してもよい。
【０１３６】
このように端末装置２のモニタ上に表示された売上掲載紙面画像は、印刷機から印刷されることができる。
【０１３７】
なお、作成された売上掲載紙面画像データは、売上掲載紙面画像データベース１２ｅに記憶（登録）される。
【０１３８】
そして、ユーザが端末装置２の例えばマウスを操作して売上掲載紙面表示画面３９に表示された、戻るボタン３９ａを指定（クリック）すると、制御部１１は、これを認識し（ステップＳ６０４：Ｙ）、図１５に示すステップＳ５６に戻り、再び、売上情報リスト作成画面３７を端末装置２に提示することになる。
【０１３９】
ところで、売上情報リスト作成画面３７における全ての目標売上高入力欄３７４及び目標売上数入力欄３７５に、ユーザが端末装置２の例えばキーボードを操作して各商品の売上高及び売上数の目標値を入力し、売上作成ボタン３７ｂを指定（クリック）すると、上記ステップＳ６０１において、制御部１１は、各商品群に含まれる各商品についての売上目標についても集計して各商品群についての売上目標に関する情報も求める（例えば、各商品の目標売上高の合計及び目標売上数の合計の算出等））。そして、上記ステップＳ６０２において、制御部１１は、上述した商品群位置データに基づいて、上記各商品群についての売上目標に関する情報と、その売上目標に対する上記売上結果に関する情報を、上記広告印刷物の紙面画像データの当該紙面画像における夫々の商品群についての商品情報の掲載位置に配置して売上掲載紙面画像データを作成し、当該売上掲載紙面画像を端末装置２の表示画面上に表示させる。
【０１４０】
こうして、端末装置２のモニタ上に表示された売上掲載紙面表示画面の一例を図２１に示す。図２１に示すように、売上掲載紙面表示画面４０には、売上高、売上数、及び順位を表示する表示欄４０ｂと共に、目標売上高、及び目標売上数を表示する表示欄４０ｃが設けられている（なお、図２１は、商品部門の全ての担当部署において、売上情報リスト作成画面３７における全ての目標売上高入力欄３７４及び目標売上数入力欄３７５に目標売上高、及び目標売上数が入力された場合の例を示している）。
【０１４１】
なお、上記売上情報リスト作成画面３７において、売上高表示欄３７１及び売上数表示欄３７２に売上高及び売上数が表示されておらず（売上結果に関する情報が取り込まれていない）、全ての目標売上高入力欄３７４及び目標売上数入力欄３７５に目標売上高及び目標売上数が入力、表示されている場合に、上記売上作成ボタン３７ｂが指定（クリック）されて表示される売上掲載紙面表示画面４０には、各商品群についての売上高、売上数、及び順位の表示はなく、各商品群についての目標売上高、及び目標売上数の表示だけが各商品群についての商品情報上の一部に重畳されて表示されることになる。
【０１４２】
売上情報リスト作成画面３７の表示状態に戻り、ユーザが端末装置２の例えばマウスを操作して登録終了ボタン３７ｃを指定（クリック）すると、制御部１１は、これを認識し（ステップＳ６１：Ｙ）、図５に示す提供サービス選択処理に戻る（ステップＳ５に戻る）。
【０１４３】
なお、上記ステップＳ５３において、当該識別情報が商品部門のものでない場合、例えば、店舗の識別情報である場合には、ステップＳ５６にて端末装置３に提示される売上情報リスト作成画面には、当該広告印刷物における全てのセール企画における商品群に含まれる商品についての商品情報と共に、売上高表示欄、売上数表示欄、順位表示欄、目標売上高入力欄、及び目標売上数入力欄が設けられることになる。そして、制御部１１は、端末装置３にも、上述したように作成された売上掲載紙面画像を端末装置２のモニタ上に表示させることができる。
【０１４４】
以上説明したように、上記実施形態によれば、広告印刷物の紙面画像上におけるセール企画毎の商品群の掲載位置に、売上高、売上数、及び順位等の売上結果に関する情報が配置された売上掲載紙面画像を端末装置２に提示（表示）するように構成したので、流通小売業者（販促部門や、商品部門）は、売上結果をセール企画毎に、的確に把握、分析等することができる。例えば、流通小売業者は、広告印刷物の紙面のどの範囲に何のセール企画を設定して掲載したかによって、どの程度売れたかを容易に把握することができる。
【０１４５】
また、各セール企画の範囲に表示（掲載）される商品の選定は、商品部門における各担当部署にて行われるので、各担当部署は、自己が選択し掲載させた商品群の売れ行きを確認することができる。また、他の担当部署の売上結果を閲覧することにより、他の担当部署によって選択された商品群の売れ行きと、自部署が選択した商品群の売れ行きとを比較して分析することができる。
【０１４６】
更に、売上結果に関する情報ばかりでなく、各担当部署等によって設定された目標売上高、目標売上数等の売上目標に関する情報も、広告印刷物の紙面における各商品群の掲載位置に表示することもできるので、流通小売業者は、セール企画毎に設定された売上目標と、その売上結果を把握することができ、その後の商品の売上分析を行ってより効率良く販売戦略を立てることが可能となる。
【０１４７】
更に、各店舗においても、端末装置３から、上記売上掲載紙面画像を取得して簡単に見ることができ、しかも、例えば特売セール期間前に、広告印刷物の各セール企画の範囲に表示された売上目標に関する情報を認識することができるので、各店舗における販売促進意欲を高めることができる。
【０１４８】
更に、売上掲載紙面画像データは、流通小売業者内において作成された簡易紙面画像データを基として、流通小売業者にて簡単に作成可能のため、流通小売業者は、例えば印刷業者に売上掲載紙面画像データを作成してもらう必要がなく、このため、売上情報も印刷業者に渡す必要がない。
【０１４９】
なお、図６に示す掲載商品リスト作成処理において各セール企画の担当部署によって選択、登録された商品が、そのセール企画において許容された商品数を超える場合には、超えた分の商品の商品情報は広告印刷物の紙面上には掲載されないが、広告印刷物の紙面上に掲載されない商品群についての売上情報（この情報も売上情報取込処理にて取込可能）についても、掲載された商品群についての売上情報に併せて広告印刷物の紙面画像上におけるそのセール企画の範囲内に表示して比較できるように構成してもよい。
【０１５０】
なお、上記実施形態においては、制御部１１は、商品群位置データに基づいて、上記各商品群についての売上情報を、広告印刷物の紙面画像データの当該紙面画像における夫々の商品群についての商品情報の掲載位置に配置して売上掲載紙面画像データを作成し、そのデータをインターネット４を介して端末装置２に提供（送信）して、売上掲載紙面画像をモニタ上に表示させるように構成したが、別の例として、例えば、制御部１１は、上記作成された広告印刷物の紙面画像データ（商品群位置データが付与された簡易紙面画像データ）を、インターネット４を介して端末装置２に提供（送信）してモニタ上に表示させた後、売上情報表示手段として機能し、上記集計された各商品群についての売上情報を、端末装置２に提供（送信）して、端末装置２のモニタ上に表示された広告印刷物の紙面画像上における夫々の商品群についての商品情報の掲載位置に表示させる（例えば端末装置２のＷｅｂブラウザにより）ように構成してもよい。
【０１５１】
また、上記実施形態においては、売上掲載紙面画像データの基となる広告印刷物の紙面画像データには、上記簡易紙面作成処理において作成された、全ての領域に商品情報が配置された簡易紙面画像データを適用したが、これに限定されるものではなく、上述したような商品群位置データがあれば、例えば印刷業者から製版され、インターネット４等の通信手段を介して提供された校正後の広告印刷物の紙面画像データを適用してもよい。
【０１５２】
また、上記実施形態において、売上掲載紙面作成・表示処理プログラムをサーバ１にて実行させるように構成したが、これに限定されるものではなく、各端末装置にて売上掲載紙面作成・表示処理プログラムを実行させ、簡易紙面画像データ、掲載商品リスト、及び売上掲載紙面画像データを作成、表示するように構成してもよい。
【図面の簡単な説明】
【０１５３】
【図１】本実施形態にかかる売上掲載紙面作成・表示システムのハードウェア構成の一例を示す図である。
【図２】売上掲載紙面作成・表示サーバ１の概要構成を示す機能ブロック図である。
【図３】紙面画像の一例を示す図である。
【図４】領域Ａにおける商品情報の位置の例を示す図である。
【図５】売上掲載紙面作成・表示サーバ１の制御部１１における提供サービス選択処理を示すフローチャートである。
【図６】売上掲載紙面作成・表示サーバ１の制御部１１における掲載商品リスト作成処理を示すフローチャートである。
【図７】売上掲載紙面作成・表示サーバ１の制御部１１における商品情報編集処理を示すフローチャートである。
【図８】広告印刷物選択画面の一例を示す図である。
【図９】セール企画選択画面の一例を示す図である。
【図１０】掲載商品リスト作成画面の一例を示す図である。
【図１１】商品情報編集画面の一例を示す図である。
【図１２】売上掲載紙面作成・表示サーバ１の制御部１１における簡易紙面作成処理を示すフローチャートである。
【図１３】簡易紙面作成画面の一例を示す図である。
【図１４】紙面画像上における領域に商品情報が配置された後の簡易紙面作成画面の一例を示す図である。
【図１５】売上掲載紙面作成・表示サーバ１の制御部１１における売上情報リスト作成処理を示すフローチャートである。
【図１６】売上情報リスト作成画面の一例を示す図である。
【図１７】売上掲載紙面作成・表示サーバ１の制御部１１における売上情報取込処理を示すフローチャートである。
【図１８】売上情報取込画面の一例を示す図である。
【図１９】売上掲載紙面作成・表示サーバ１の制御部１１における売上掲載紙面画像作成・表示処理を示すフローチャートである。
【図２０】売上掲載紙面表示画面の一例を示す図である。
【図２１】売上掲載紙面表示画面の一例を示す図である。
【符号の説明】
【０１５４】
１  売上掲載紙面作成・表示サーバ
２，３  端末装置
４  インターネット
５  ＰＯＳシステム
６  ＰＯＳ端末
１１  制御部
１２  記憶部
１２ａ  商品データベース
１２ｂ  基準紙面画像データベース
１２ｃ  簡易紙面画像データベース
１２ｄ  売上情報データベース
１２ｅ  売上掲載紙面画像データベース
１２ｆ  提示画面データベース
１３  通信部
Ｓ  売上掲載紙面作成・表示システム
【図１】
2005092642.tif 000003
【図２】
2005092642.tif 000004
【図３】
2005092642.tif 000005
【図４】
2005092642.tif 000006
【図５】
2005092642.tif 000007
【図６】
2005092642.tif 000008
【図７】
2005092642.tif 000009
【図８】
2005092642.tif 000010
【図９】
2005092642.tif 000011
【図１０】
2005092642.tif 000012
【図１１】
2005092642.tif 000013
【図１２】
2005092642.tif 000014
【図１３】
2005092642.tif 000015
【図１４】
2005092642.tif 000016
【図１５】
2005092642.tif 000017
【図１６】
2005092642.tif 000018
【図１７】
2005092642.tif 000019
【図１８】
2005092642.tif 000020
【図１９】
2005092642.tif 000021
【図２０】
2005092642.tif 000022
【図２１】
2005092642.tif 000023